(57)【要約】【課題】リモコン装置が置かれている場所に関係なく、リモコン装置の送信モードを複合型記録再生装置の動作モードに対応したモードに常に切り換えることができる機能を有する遠隔操作システムを提供する。【解決手段】複合型記録再生装置１０の現在の動作モードが、例えばＤＶＤモードであれば、操作対象報知信号出力手段１４２はＤＶＤ操作対象報知信号を超音波送信部１７に出力し、超音波送信部１７はＤＶＤ操作対象報知信号を超音波に乗せて送信する。リモコン装置２０では、送信された超音波を超音波受信部２４で受信し、送信モード設定手段２１１は、受信した超音波からＤＶＤ操作対象報知信号を取り出して、リモコンモードを、そのＤＶＤ操作対象報知信号に対応する送信モードに設定する。【選択図】図１
2007110279.tif 000002
【特許請求の範囲】
【請求項１】
異なる機能を有する電子機器が少なくとも２つ組み込まれた複合型電子装置の所望の電子機器をリモコン装置により遠隔操作する遠隔操作システムであって、
前記複合型電子装置において現在どの電子機器が動作モードになっているかを検知する動作モード電子機器検知手段と、前記動作モードになっていることを検知された電子機器が操作対象であることを前記リモコン装置に知らせるための操作対象報知信号を出力する操作対象報知信号出力手段と、前記出力された操作対象報知信号を超音波に乗せて送信する超音波送信手段とを、前記複合型電子装置に設け、
前記超音波送信手段からの超音波を受信する超音波受信手段と、前記受信した超音波から操作対象報知信号を取り出して当該操作対象報知信号に対応する送信モードが現在の送信モードと異なる場合に、前記現在の送信モードを前記当該操作対象報知信号に対応する送信モードに切り換えることにより、リモコンモードを前記当該操作対象報知信号に対応する送信モードに設定する送信モード設定手段とを、前記リモコン装置に設けたことを特徴とする遠隔操作システム。
【請求項２】
異なる機能を有する電子機器が少なくとも２つ組み込まれた複合型電子装置の所望の電子機器をリモコン装置により遠隔操作する遠隔操作システムであって、
前記複合型電子装置において現在動作モードになっている電子機器が操作対象であることを前記リモコン装置に知らせるための操作対象報知信号を出力する操作対象報知信号出力手段と、前記出力された操作対象報知信号を超音波に乗せて送信する超音波送信手段とを、前記複合型電子装置に設け、
前記超音波送信手段からの超音波を受信する超音波受信手段と、前記受信した超音波から操作対象報知信号を取り出してリモコンモードを当該操作対象報知信号に対応する送信モードに設定する送信モード設定手段とを、前記リモコン装置に設けたことを特徴とする遠隔操作システム。
【請求項３】
前記操作対象報知信号出力手段は、複合型電子装置において現在どの電子機器が動作モードになっているかを検知する動作モード電子機器検知手段により、前記動作モードになっていることを検知された電子機器が操作対象であることを前記リモコン装置に知らせるための操作対象報知信号を出力することを特徴とする請求項２に記載の遠隔操作システム。
【請求項４】
前記送信モード設定手段は、受信した超音波から操作対象報知信号を取り出して当該操作対象報知信号に対応する送信モードが現在の送信モードと異なる場合に、前記現在の送信モードを前記当該操作対象報知信号に対応する送信モードに切り換えることにより、リモコンモードを前記当該操作対象報知信号に対応する送信モードに設定することを特徴とする請求項２に記載の遠隔操作システム。
【発明の詳細な説明】
【技術分野】
【０００１】
本発明は、異なる機能を有する電子機器が少なくとも２つ組み込まれた複合型電子装置の所望の電子機器をリモコン装置により遠隔操作する遠隔操作システムに関し、特に、複合型電子装置の所望の電子機器の遠隔操作を可能にする遠隔操作システムに関する。
【背景技術】
【０００２】
一般に、複合型電子装置の動作モードは、リモコン装置により選択されるようになっていて、リモコン装置に設けられているモード選択キーの操作により、複合型電子装置の動作モードが選択されたとき、リモコン装置の送信モードが、その選択された複合型電子装置の動作モードに対応した動作モードに設定されるようになっている。
【０００３】
しかし、複合型電子装置の動作モードは、複合型電子装置の操作パネルに設けられたモード選択キーの操作によっても選択することができるようになっていて、そのモード選択キーの操作により、複合型電子装置の動作モードが切り換えられた場合、リモコン装置の送信モードが複合型電子装置の動作モードと一致しなくなり、リモコン装置の操作キーの操作により、複合型電子装置内の所望の電子機器を動作させることができなくなる。
【０００４】
そこで、特許文献１の従来技術では、複合ＡＶ機器（複合型電子機器）の動作モードが切り換えられたとき、複合ＡＶ機器を遠隔操作するリモコン装置の送信モードを複合ＡＶ機器の動作モードに対応したモードに自動的に切り換えるようにしている。
【特許文献１】実登３０９２３７２号公報
【特許文献２】特開２００５−７３１９６号公報
【特許文献３】特開平６−３１１３８５号公報
【発明の開示】
【発明が解決しようとする課題】
【０００５】
即ち、この特許文献１の従来技術では、複合ＡＶ機器の動作モードを切り換えたとき、切り換えられた複合ＡＶ機器の動作モードのコード信号をリモコン装置に送信して、リモコン装置の送信モードを複合ＡＶ機器の動作モードに対応したモードに切り換えるようにしている。しかしながら、複合ＡＶ機器から送信される動作モードのコード信号は赤外線信号であるので、リモコン装置が置かれている場所によっては、複合型ＡＶ機器からの赤外線信号がリモコン装置に届かないことがあり、このような場合には、リモコン装置では送信モードが切り換えられないので、所望のＡＶ機器を動作させることができなくなるという課題が生じる。
【０００６】
なお、特許文献２の従来技術は、リモコン装置からの赤外線信号による複合電子装置の出力モード切換信号にて、その出力モードをＶＣＲ装置またはＤＶＤ装置に切り換えるものであり、複合電子装置からの信号によりリモコン装置の送信モードを切り換えるようにしたものではない。
【０００７】
また、特許文献３の従来技術は、双方向リモコン機能を備えたテレビジョン受像機であり、ＴＶ本体側の入力モードをリモコン側に送信し、リモコンは、その入力モードに対応する制御コードをＴＶ本体に送信するようにして、複数の映像機器を一つのリモコンユニットにて操作できるようにしている。しかしながら、リモコンとテレビジョン受像機との間でやり取りされる制御信号は、赤外線による信号なのか、電波による信号なのか、あるいは超音波による信号なのかが開示されていない。
【０００８】
本発明は、上記のような課題を解決するためになされたもので、異なる機能を有する電子機器が少なくとも２つ組み込まれた複合型電子装置をリモコン装置により遠隔操作する遠隔操作システムにおいて、リモコン装置が置かれている場所に関係なく、リモコン装置の送信モードを複合型電子装置の動作モードに対応したモードに常に切り換えることができる機能を有する遠隔操作システムを提供することを目的とする。
【課題を解決するための手段】
【０００９】
上記目的を達成するために、請求項１の発明は、異なる機能を有する電子機器が少なくとも２つ組み込まれた複合型電子装置の所望の電子機器をリモコン装置により遠隔操作する遠隔操作システムであって、前記複合型電子装置において現在どの電子機器が動作モードになっているかを検知する動作モード電子機器検知手段と、前記動作モードになっていることを検知された電子機器が操作対象であることを前記リモコン装置に知らせるための操作対象報知信号を出力する操作対象報知信号出力手段と、前記出力された操作対象報知信号を超音波に乗せて送信する超音波送信手段とを、前記複合型電子装置に設け、前記超音波送信手段からの超音波を受信する超音波受信手段と、前記受信した超音波から操作対象報知信号を取り出して当該操作対象報知信号に対応する送信モードが現在の送信モードと異なる場合に、前記現在の送信モードを前記当該操作対象報知信号に対応する送信モードに切り換えることにより、リモコンモードを前記当該操作対象報知信号に対応する送信モードに設定する送信モード設定手段とを、前記リモコン装置に設けたことを特徴とする遠隔操作システムを提供する。
【００１０】
この構成において、動作モード電子機器検知手段は、複合型記録再生装置の現在の動作モードが例えばＶＣＲモードであるか否かを判定する。そして、ＶＣＲモードであれば、操作対象報知信号出力手段は、ＶＣＲ操作対象報知信号を超音波送信手段に出力する。これにより、超音波送信手段は、ＶＣＲ操作対象報知信号を超音波に乗せて送信する。
【００１１】
一方、リモコン装置では、複合型記録再生装置の超音波送信手段から送信された超音波を超音波受信手段で受信し、送信モード設定手段は、前記受信した超音波からＶＣＲ操作対象報知信号を取り出して、リモコンモードを、そのＶＣＲ操作対象報知信号に対応する送信モードに設定する。即ち、送信モード設定手段は、リモコン装置の送信モードが例えばＶＣＲ送信モードではなく、ＤＶＤ送信モードに設定されていると判定した場合には、ＤＶＤ送信モードからＶＣＲ送信モードに切り換える。
【００１２】
この構成によれば、複合型電子装置は、操作対象報知信号を超音波に乗せてリモコン装置に送信するので、リモコン装置が置かれている場所に関係なく、操作対象報知信号はリモコン装置に届き、これにより、リモコン装置の送信モードを複合型電子装置の動作モードに対応したモードに常に切り換えることができて、リモコン装置は複合型電子装置に常に連動し、ユーザが「リモコンが利かない」というような不快な勘違いを起こすことがなくなる。
【００１３】
請求項２の発明は、異なる機能を有する電子機器が少なくとも２つ組み込まれた複合型電子装置の所望の電子機器をリモコン装置により遠隔操作する遠隔操作システムであって、前記複合型電子装置において現在動作モードになっている電子機器が操作対象であることを前記リモコン装置に知らせるための操作対象報知信号を出力する操作対象報知信号出力手段と、前記出力された操作対象報知信号を超音波に乗せて送信する超音波送信手段とを、前記複合型電子装置に設け、前記超音波送信手段からの超音波を受信する超音波受信手段と、前記受信した超音波から操作対象報知信号を取り出してリモコンモードを当該操作対象報知信号に対応する送信モードに設定する送信モード設定手段とを、前記リモコン装置に設けたことを特徴とする遠隔操作システムを提供する。
【００１４】
この構成において、複合型記録再生装置の現在の動作モードが例えばＶＣＲモードであれば、操作対象報知信号出力手段は、ＶＣＲ操作対象報知信号を超音波送信手段に出力する。これにより、超音波送信手段は、ＶＣＲ操作対象報知信号を超音波に乗せて送信する。
【００１５】
一方、リモコン装置では、複合型記録再生装置の超音波送信手段から送信された超音波を超音波受信手段で受信し、送信モード設定手段は、前記受信した超音波からＶＣＲ操作対象報知信号を取り出して、リモコンモードを、そのＶＣＲ操作対象報知信号に対応する送信モードに設定する。
【００１６】
この構成によれば、複合型電子装置は、操作対象報知信号を超音波に乗せてリモコン装置に送信するので、リモコン装置が置かれている場所に関係なく、操作対象報知信号はリモコン装置に届き、これにより、リモコン装置の送信モードを複合型電子装置の動作モードに対応したモードに常に切り換えることができて、リモコン装置は複合型電子装置に常に連動し、ユーザが「リモコンが利かない」というような不快な勘違いを起こすことがなくなる。
【００１７】
請求項３の発明では、請求項２の発明において、前記操作対象報知信号出力手段は、複合型電子装置において現在どの電子機器が動作モードになっているかを検知する動作モード電子機器検知手段により、前記動作モードになっていることを検知された電子機器が操作対象であることを前記リモコン装置に知らせるための操作対象報知信号を出力するので、前記操作対象報知信号出力手段は、動作モード電子機器検出手段により検知された電子機器が操作対象であることを示す操作対象報知信号を出力することが可能になる。
【００１８】
請求項４の発明では、請求項２の発明において、前記送信モード設定手段は、受信した超音波から操作対象報知信号を取り出して当該操作対象報知信号に対応する送信モードが現在の送信モードと異なる場合に、前記現在の送信モードを前記当該操作対象報知信号に対応する送信モードに切り換えることにより、リモコンモードを前記当該操作対象報知信号に対応する送信モードに設定するので、リモコン装置の送信モードが例えばＶＣＲ送信モードではなく、ＤＶＤ送信モードに設定されていると判定された場合に、ＤＶＤ送信モードからＶＣＲ送信モードに切り換えることが可能になる。
【発明の効果】
【００１９】
以上のように本発明によれば、異なる機能を有する電子機器が少なくとも２つ組み込まれた複合型電子装置の所望の電子機器をリモコン装置により遠隔操作する遠隔操作システムであって、前記複合型電子装置において現在どの電子機器が動作モードになっているかを検知する動作モード電子機器検知手段と、前記動作モードになっていることを検知された電子機器が操作対象であることを前記リモコン装置に知らせるための操作対象報知信号を出力する操作対象報知信号出力手段と、前記出力された操作対象報知信号を超音波に乗せて送信する超音波送信手段とを、前記複合型電子装置に設け、前記超音波送信手段からの超音波を受信する超音波受信手段と、前記受信した超音波から操作対象報知信号を取り出して当該操作対象報知信号に対応する送信モードが現在の送信モードと異なる場合に、前記現在の送信モードを前記当該操作対象報知信号に対応する送信モードに切り換えることにより、リモコンモードを前記当該操作対象報知信号に対応する送信モードに設定する送信モード設定手段とを、前記リモコン装置に設けたので、複合型電子装置は、操作対象報知信号を超音波に乗せてリモコン装置に送信でき、これにより、リモコン装置が置かれている場所に関係なく、操作対象報知信号はリモコン装置に届き、リモコン装置の送信モードを複合型電子装置の動作モードに対応したモードに常に切り換えることができるようになって、リモコン装置は複合型電子装置に常に連動し、ユーザが「リモコンが利かない」というような不快な勘違いを起こすことがなくなる。
【００２０】
また、本発明によれば、異なる機能を有する電子機器が少なくとも２つ組み込まれた複合型電子装置の所望の電子機器をリモコン装置により遠隔操作する遠隔操作システムであって、前記複合型電子装置において現在動作モードになっている電子機器が操作対象であることを前記リモコン装置に知らせるための操作対象報知信号を出力する操作対象報知信号出力手段と、前記出力された操作対象報知信号を超音波に乗せて送信する超音波送信手段とを、前記複合型電子装置に設け、前記超音波送信手段からの超音波を受信する超音波受信手段と、前記受信した超音波から操作対象報知信号を取り出してリモコンモードを当該操作対象報知信号に対応する送信モードに設定する送信モード設定手段とを、前記リモコン装置に設けたので、複合型電子装置は、操作対象報知信号を超音波に乗せてリモコン装置に送信することができ、これにより、リモコン装置が置かれている場所に関係なく、操作対象報知信号はリモコン装置に届き、リモコン装置の送信モードを複合型電子装置の動作モードに対応したモードに常に切り換えることができるようになって、リモコン装置は複合型電子装置に常に連動し、ユーザが「リモコンが利かない」というような不快な勘違いを起こすことがなくなる。
【発明を実施するための最良の形態】
【００２１】
以下、添付図面を参照しつつ、本発明の実施の形態について説明する。図１は本発明の一実施形態に係る遠隔操作システムの構成を示すブロック図である。
【００２２】
この遠隔操作システムは、複合型電子装置としての複合型記録再生装置１０とリモコン装置２０とから構成されている。複合型記録再生装置１０は、カセットテープに映像音声信号を記録したり、カセットテープに記録された映像音声信号を再生したりするＶＣＲ（ビデオ・カセット・レコーダ）装置１１と、ＤＶＤ（デジタル・バーサタイル・ディスク）に記録されている映像音声信号を再生、またはＤＶＤに対して映像音声信号を記録／再生するＤＶＤ装置１２と、この複合型記録再生装置１０の電源をオン／オフする電源スイッチ１３と、この複合型記録再生装置１０のシステム全体を制御するマイコン（マイクロコンピュータ）１４と、各種操作キーが設けられた操作パネル１５と、リモコン信号を受信して所定の電気信号に変換するリモコン受信部１６と、ＶＣＲモードやＤＶＤモードなどの設定モード等を記憶する不揮発性メモリであるＥＥＰＲＯＭ１８とを備えている。モニタ装置３０は、テレビ受信機などであり、ＶＣＲ装置１１やＤＶＤ装置１２などで再生された映像を表示したり、再生された音声を出力したりするものである。
【００２３】
また、複合型記録再生装置１０のマイコン１４は、本実施形態の特徴として、現在どの電子機器（ここではＶＣＲ装置１１またはＤＶＤ装置１２）が動作モードになっているかを検知する動作モード電子機器検知手段１４１と、前記動作モードになっていることを検知された電子機器が操作対象であることをリモコン装置２０に知らせるための操作対象報知信号を出力する操作対象報知信号出力手段１４２とを有している。また、この複合型記録再生装置１０は、操作対象報知信号出力手段１４２から出力された操作対象報知信号を超音波に乗せて送信する超音波送信手段としての超音波送信部１７を備えている。
【００２４】
リモコン装置２０は、リモコン装置全体を制御するマイコン２１と、複数の操作キーが設けられたキー操作部２２と、複数の操作キーに割り当てられた所定のリモコン信号を赤外線信号に変換して赤外線操作信号を送信するリモコン送信手段としてのリモコン送信部２３と、複合型記録再生装置１０の超音波送信部１７からの超音波を受信する超音波受信手段としての超音波受信部２４とを備えている。
【００２５】
また、リモコン装置２０のマイコン２１は、超音波受信部２４で受信した超音波から操作対象報知信号を取り出して当該操作対象報知信号に対応する送信動作モードが現在の送信モードと異なる場合に、前記現在の送信モードを前記当該操作対象報知信号に対応する送信モードに切り換えることにより、リモコンモードを、前記当該操作対象報知信号に対応する送信モードに設定する送信モード設定手段２１１を有している。
【００２６】
操作対象報知信号を送信するのに超音波を用いる理由は、発信可能な距離が短く、操作対象の電子機器を識別するための周波数も自由に設定できるためと、周囲への電気製品への影響も少ないと見込まれ、また、リモコン装置２０が箱や籠の中などにあっても操作対象報知信号を受信可能なためである。また、超音波は赤外光と違って音波の一種であるので、指向性がなく、リモコン装置２０が超音波を受信可能な距離内であれば、リモコン装置２０は、超音波を受信することにより、送信モードを自動的に複合型記録再生装置１０のモード（ＤＶＤモードまたはＶＣＲモード）に合わせ込むことができる。また、超音波を用いてリモコン装置２０の送信モードが切り換えられるので、設計時にリモコン装置２０の送信モード切り換えのためのリモコンコードを複合型記録再生装置１０において設定しなくても良いので、この分、全体として設定箇所が減って設定も簡単になる。
【００２７】
図２は本実施形態の複合型記録再生装置とリモコン装置とが配置されている状態を示す斜視図である。図２において、１００は複合型記録再生装置１０の筐体を示し、２００はリモコン装置２０の筐体を示す。複合型記録再生装置１０の筐体１００の内部には、図１で示した複合型記録再生装置１０の構成要素が収容されている。また、リモコン装置２０の筐体２００の内部には、図１で示したリモコン装置２０の構成要素が収容されている。複合型記録再生装置１０の筐体１００からは、内部の超音波送信部１７からの超音波が常に発信されており、リモコン装置２０は、筐体２００内部の超音波受信部２４で超音波を受信している。なお、リモコン装置２０では、超音波を受信するための回路の消費電力は極僅かであるので、図示しない内部電池の消耗は非常に少ない。
【００２８】
図３は本実施形態のＶＣＲ装置とＤＶＤ装置との複合型記録再生装置がリモコン装置の送信モードを設定する処理を説明するためのフローチャートである。このフローチャートおよび図１を参照してＶＣＲ装置とＤＶＤ装置との複合型記録再生装置がリモコン装置の送信モードを設定する処理について説明する。
【００２９】
複合型記録再生装置１０の電源スイッチ１３がオンされると、マイコン１４の動作モード電子機器検知手段１４１は、現在どの電子機器が動作モードになっているかを検知する。即ち、動作モード電子機器検知手段１４１は、複合型記録再生装置１０の現在の動作モードがＶＣＲモードであるか否かを判定する（ステップＳ１）。そして、ＶＣＲモードであれば、マイコン１４の操作対象報知信号出力手段１４２は、ＶＣＲ操作対象報知信号を超音波送信部１７に出力する（ステップＳ２）。これにより、超音波送信部１７は、ＶＣＲ操作対象報知信号を超音波に乗せて送信する（ステップＳ３）。
【００３０】
一方、リモコン装置２０では、複合型記録再生装置１０の超音波送信部１７から送信された超音波を超音波受信部２４で受信し（ステップＳ４）、マイコン２１の送信モード設定手段２１１は、前記受信した超音波からＶＣＲ操作対象報知信号を取り出して（ステップＳ５）、リモコンモードを、そのＶＣＲ操作対象報知信号に対応する送信モード（ＶＣＲ送信モード）に設定する。
【００３１】
即ち、送信モード設定手段２１１は、リモコン装置２０の送信モードがＶＣＲ送信モードではなく、ＤＶＤ送信モードに設定されていると判定した場合には（ステップＳ６）、ＤＶＤ送信モードからＶＣＲ送信モードに切り換える（ステップＳ７）。なお、リモコン装置２０の送信モードがＶＣＲ送信モードに設定されている場合には、ＶＣＲ送信モードに設定されたままである。ここで、キー操作部２２からのキー入力があった際は（ステップＳ８）、リモコン送信部２３は、キー操作部２２からのキー操作信号を赤外線操作信号に変換し、この赤外線操作信号をＶＣＲ送信モードで送信する（ステップＳ９）。
【００３２】
一方、複合型記録再生装置１０の現在の動作モードがＤＶＤモードであると判定された場合は（ステップＳ１）、マイコン１４の操作対象報知信号出力手段１４２は、ＤＶＤ操作対象報知信号を超音波送信部１７に出力する（ステップＳ１０）。これにより、超音波送信部１７は、ＤＶＤ操作対象報知信号を超音波に乗せて送信する（ステップＳ１１）。
【００３３】
リモコン装置２０では、複合型記録再生装置１０の超音波送信部１７から送信された超音波を超音波受信部２４で受信し（ステップＳ１２）、マイコン２１の送信モード設定手段２１１は、前記受信した超音波からＤＶＤ操作対象報知信号を取り出して（ステップＳ１３）、リモコンモードを、そのＤＶＤ操作対象報知信号に対応する送信モード（ＤＶＤ送信モード）に設定する。
【００３４】
即ち、送信モード設定手段２１１は、リモコン装置２０の送信モードがＤＶＤ送信モードではなく、ＶＣＲ送信モードに設定されていると判定した場合には（ステップＳ１４）、ＶＣＲ送信モードからＤＶＤ送信モードに切り換える（ステップＳ１５）。なお、リモコン装置２０の送信モードがＤＶＤ送信モードに設定されている場合には、ＤＶＤ送信モードに設定されたままである。ここで、キー操作部２２からのキー入力があった際は（ステップＳ１６）、リモコン送信部２３は、キー操作部２２からのキー操作信号を赤外線操作信号に変換して、この赤外線信号をＤＶＤ送信モードで送信する（ステップＳ１７）。
【００３５】
以上説明したように本実施形態によれば、複合型記録再生装置１０は、操作対象報知信号を超音波に乗せてリモコン装置２０に送信するので、リモコン装置２０が置かれている場所に関係なく、操作対象報知信号はリモコン装置２０に届き、これにより、リモコン装置２０の送信モードを複合型記録再生装置１０の動作モードに対応したモードに常に切り換えることができて、リモコン装置２０は複合型記録再生装置１０に常に連動し、ユーザが「リモコンが利かない」というような不快な勘違いを起こすことがなくなる。
【００３６】
なお、上記実施形態では、ＶＣＲ装置とＤＶＤ装置とを備えた複合型記録再生装置について説明したが、ハードディスク装置とＤＶＤ装置とを備えた複合型記録再生装置、またはＶＣＲ装置とハードディスク装置とを備えた複合型記録再生装置、あるいはＶＣＲ装置とＤＶＤ装置とハードディスク装置とを備えた複合型記録再生装置であっても、同様な処理により、リモコン装置を複合型記録再生装置の動作モードに対応したモードに常に切り換えることができる。また、複合型電子装置は、複合型記録再生装置に限らず、異なる機能を有する他の電子機器が少なくとも２つ組み込まれた装置にあっても良い。
【図面の簡単な説明】
【００３７】
【図１】本発明の一実施形態に係る遠隔操作システムの構成を示すブロック図である。
【図２】前記実施形態の複合型記録再生装置とリモコン装置とが配置されている状態を示す斜視図である。
【図３】前記実施形態のＶＣＲ装置とＤＶＤ装置との複合型記録再生装置がリモコン装置の送信モードを設定する処理を説明するためのフローチャートである。
【符号の説明】
【００３８】
１０    複合型記録再生装置（複合型電子装置）
１１    ＶＣＲ装置（電子機器）
１２    ＤＶＤ装置（電子機器）
１７    超音波送信部（超音波送信手段）
２０    リモコン装置
２４    超音波受信部（超音波受信手段）
１４１    動作モード電子機器検知手段
１４２    操作対象報知信号出力手段
２１１    送信モード設定手段
【図１】
2007110279.tif 000003
【図２】
2007110279.tif 000004
【図３】
2007110279.tif 000005